【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
携帯型治療流体投薬装置（１０）であって、
少なくともコントローラおよび駆動機構（１２０）の第１の部分を含んだ再使用可能部分ハウジング（１０２）を備えた再使用可能部分（１００）と、
廃棄可能部分（２００）であって、治療流体を保持するための少なくともリザーバ（２２０）を含む廃棄可能部分ハウジング（２０２）と、前記治療流体が投薬される出口ポート（２１０）と、前記リザーバ（２２０）と前記出口ポート（２１０）との間の流体連絡を提供する流体導管（２３０）と、前記駆動機構（１２０）の第２の部分とを備え、該駆動機構（１２０）の第２の部分が、ピストン（１１０）及びピストンロッド（１１２）を備え、前記廃棄可能部分ハウジング（２０２）の少なくとも一部が前記リザーバ（２２０）の少なくとも一部を画定する、前記廃棄可能部分（２００）と、
前記廃棄可能部分（２００）が前記再使用可能部分（１００）に接続されたとき、前記駆動機構（１２０）の前記第２の部分が前記駆動機構（１２０）の前記第１の部分に機械的に結合可能である、携帯型治療流体投薬装置（１０）において、
前記ピストンロッド（１１２）が、該ピストンロッド（１１２）の第１の端部において前記ピストン（１１０）に結合され、該ピストンロッド（１１２）はねじを形成され、
前記駆動機構（１２０）の第２の部分が更に、前記ピストンロッド（１１２）にねじ係合により結合された係合部材（２８６１）を有し、該係合部材（２８６１）が前記ピストンロッド（１１２）の制御された変位、および前記廃棄可能部分（２００）の少なくとも前記リザーバ（２２０）内における前記ピストンロッド（１１２）の実質的に非制限の変位を選択的に可能にするように構成された、流体投薬装置。
【請求項２】
請求項１に記載の流体投薬装置（１０）において、前記廃棄可能部分ハウジング（２０２）が、前記再使用可能部分（１００）に受け取られる形態の皮膚粘着可能基部（２５）を備える、流体投薬装置。
【請求項３】
請求項１に記載の流体投薬装置（１０）において、前記再使用可能部分（１００）および前記廃棄可能部分（２００）のうちの少なくとも１つが、
前記再使用可能部分ハウジング（１０２）および前記廃棄可能部分ハウジング（２０２）のうちの対応する何れかのハウジング内に受け取られるように構成される少なくとも１つのシャーシ（１８１）であって、前記再使用可能部分（１００）および前記廃棄可能部分（２００）のうちの対応する何れかの部分の１つまたは複数のコンポーネントのための構造サポートを提供するように構成された、前記少なくとも１つのシャーシ（１８１）を備えた、流体投薬装置。
【請求項４】
請求項１に記載の流体投薬装置（１０）において、前記駆動機構（１２０）の前記第１の部分が、
電動機（１８４）と、
前記電動機（１８４）によって作動される１つまたは複数のはめ歯歯車（１８２）と、
前記１つまたは複数のはめ歯歯車（１８２）に機械的に接続された駆動スリーブ（１８６）であって、前記１つまたは複数のはめ歯歯車（１８２）によって伝達される回転力によって前記駆動スリーブ（１８６）が回転運動する前記駆動スリーブ（１８６）と、
のうちの少なくとも１つを備えた、流体投薬装置。
【請求項５】
請求項４に記載の流体投薬装置（１０）において、前記１つまたは複数のはめ歯歯車（１８２）が遊星歯車システムの部分からなり、前記遊星歯車システムが、少なくとも部分的にねじが切られた内部を有する、前記１つまたは複数のはめ歯歯車（１８２）を収納するためのハウジング（１８２ｂ）をさらに備えた、流体投薬装置。
【請求項６】
請求項４に記載の流体投薬装置（１０）において、前記駆動スリーブ（１８６）が中空シリンダを備え、前記中空シリンダの少なくとも一部が、前記中空シリンダの少なくともその部分の外周に沿って画定された複数の歯を有し、
前記複数の歯が、前記駆動機構（１２０）の前記第１の部分の前記１つまたは複数のはめ歯歯車（１８２）と機械的に相互作用するように構成された、流体投薬装置。
【請求項７】
請求項１に記載の流体投薬装置（１０）において、
前記駆動機構（１２０）の前記第２の部分が、
前記ピストンロッド（１１２）の第２の端部で前記ピストンロッド（１１２）に機械的に結合された駆動先端部（２８８）であって、前記再使用可能部分（１００）および前記廃棄可能部分（２００）が接続されとき、前記駆動機構（１２０）の前記第１の部分と機械的に相互作用するように構成された前記駆動先端部（２８８）を備えた、流体投薬装置。
【請求項８】
請求項７に記載の流体投薬装置（１０）において、
前記駆動先端部（２８８）が、前記先端部（２８８）の円周に沿って互いに間隔を隔てた複数の隆起部を備え、
前記駆動先端部（２８８）が、１つまたは複数のはめ歯歯車（１８２）を介して電動機（１８４）に機械的に結合された前記駆動機構（１２０）の前記第１の部分の駆動スリーブ（１８６）内に受け取られることができる流体投薬装置。
【請求項９】
請求項８に記載の流体投薬装置（１０）において、
前記駆動スリーブ（１８６）が前記スリーブ内に複数の溝を含み、前記溝が、前記駆動先端部（２８８）の前記複数の隆起部の前記間隔に対応するように互いに間隔を隔てた、流体投薬装置。
【請求項１０】
請求項９に記載の流体投薬装置（１０）において、前記駆動スリーブ（１８６）内の前記溝が、前記駆動スリーブ（１８６）の縦軸に対して実質的に平行である、流体投薬装置。
【請求項１１】
請求項１に記載の流体投薬装置（１０）において、
前記係合部材（２８６１）が、
第１の開口（２９０１）および第２の開口（２９０１）であって、前記第２の開口（２９０１）の少なくとも一部にねじが切られた前記第１の開口（２９０１）および第２の開口（２９０１）と、
前記係合部材（２８６１）から延びる延長部分片（２９１０）であって、作動されたとき、前記係合部材（２８６１）を、ねじ付きピストンロッド（１１２）が前記第１の開口（２９０１）に配置されることにより、該ねじ付きピストンロッド（１１２）の非制限的な直線移動を実質的に可能とする第１の位置から、前記ねじ付きピストンロッド（１１２）が前記第２の開口（２９０１）に配置されることにより、前記ねじ付きピストンロッド（１１２）が回転したとき、該ねじ付きピストンロッド（１１２）の直線移動を可能とする第２の位置まで移動するように構成された前記延長部分片（２９１０）とを備える、流体投薬装置。
【請求項１２】
請求項１１に記載の流体投薬装置（１０）において、前記延長部分片（２９１０）が、前記再使用可能部分（１００）および前記廃棄可能部分（２００）の接続の結果としてアクチュエータによって作動される、流体投薬装置。
【請求項１３】
請求項１１に記載の流体投薬装置（１０）において、前記第１の開口（２９０１）および第２の開口（２９０１）が共役をなしている、流体投薬装置。
【請求項１４】
請求項１１に記載の流体投薬装置（１０）において、前記駆動先端部（２８８）は、該先端部（２８８）が前記駆動スリーブ（１８６）内で、容易に受け取られることを可能とする凸状輪郭を備える、流体投薬装置。
【請求項１５】
流体投薬システム（１０００）であって、
請求項１に記載の携帯型治療流体投薬装置（１０）と、
少なくとも前記携帯型流体投薬装置（１０）の動作を制御するための遠隔制御ユニット（９００）と、
皮膚粘着可能受け台（２０）であって、前記流体投薬装置（１０）が該皮膚粘着可能受け台（２０）に取外し可能に接続することができるように、前記流体投薬装置（１０）に接続可能な前記皮膚粘着可能受け台（２０）とを備えた、流体投薬システム。
【請求項１６】
請求項１５に記載の流体投薬システム（１０００）において、
前記遠隔制御ユニット（９００）が、
使用者の血液標本を含んだ試験条片（９０７）を受け取るためのポート（９０８）と、
使用者の血液中の分析物濃度レベルを測定する分析物センサとを備える、
流体投薬システム。